(57)【要約】【課題】  ピックアップが誤ってゾーン境界に着地した場合であっても、シーク時間を増大させることなく、ピックアップをスムーズに次のゾーンへ移行させることができる光ディスク装置を提供する。【解決手段】  光ディスク装置１００は、光ビームを２分割した第1のビームスポットと第２のビームスポットとの信号差に基づいて、ヘッダ領域を示すヘッダ検出信号を生成するヘッダ検出信号生成部７８、１００と、ヘッダ検出信号のパターンの変化によってゾーンの境界領域を判定するゾーン境界判定部１０１と、記録／再生の対象となる記録セクタへ光スポットを移動させるシーク時に、光スポットがゾーンの境界領域に着地した場合、該光スポットをゾーンの境界領域以外のトラックへジャンプさせるトラッキング制御回路８８とを備えている。【選択図】  図１６
2006209820.tif 000002
【特許請求の範囲】
【請求項１】
光ディスク媒体に、光ビームを照射することによって情報を記録または再生する光ディスク装置であって、
前記光ビームを複数に分割した第1のビームスポットと第２のビームスポットとの差信号または和信号に基づいて、ヘッダ領域を示すヘッダ検出信号を生成するヘッダ検出信号生成部と、
前記ヘッダ検出信号の変化に基づいて前記光ビームが複数のグルーブトラックおよび複数のランドトラックからなるゾーン同士間の境界領域にあることを判定するゾーン境界判定部と、
或る記録セクタを目標として前記光ビームを移動させるときに、前記光ビームが前記ゾーンの境界領域に到着した場合、該光ビームを前記ゾーンの境界領域以外のトラックへジャンプさせるトラッキング制御回路とを備えたことを特徴とする光ディスク装置。
【請求項２】
前記ゾーン境界判定部は、
前記ヘッダ検出信号を用いて或るヘッダ領域から次のヘッダ領域までの第1の距離を計測する計測部を含み、該第1の距離が所定値以下となった場合に前記光ビームが前記ゾーンの境界領域にあることを判定することを特徴とする請求項1に記載の光ディスク装置。
【請求項３】
前記ゾーン境界判定部は、
前記ヘッダ検出信号を用いて或るヘッダ領域から次のヘッダ領域までの第1の距離を計測する計測部を含み、該第1の距離が所定値以下となった連続回数をカウントし、この連続回数が所定回数に達した場合に前記光ビームが前記ゾーンの境界領域にあることを判定することを特徴とする請求項1に記載の光ディスク装置。
【請求項４】
前記ゾーン境界判定部は、
前記ヘッダ検出信号を用いて、或るヘッダ領域から、該ヘッダ領域から２つ目のヘッダ領域までの距離を計測する計測部を含み、該距離が所定値から半減した場合に前記光スビームが前記ゾーンの境界領域にあることを判定することを特徴とする請求項1に記載の光ディスク装置。
【請求項５】
前記ゾーン境界判定部は、
前記ヘッダ検出信号を用いて、或るヘッダ領域の長さを計測する計測部と、前記ヘッダ領域の長さが所定値から半減した場合に前記光ビームが前記ゾーンの境界領域にあることを判定することを特徴とする請求項1に記載の光ディスク装置。
【発明の詳細な説明】
【技術分野】
【０００１】
本発明は光ディスク装置に関する。
【背景技術】
【０００２】
ＤＶＤ−ＲＡＭは、複数のトラックを含むゾーンに分割された記録領域を有する。ＤＶＤ−ＲＡＭでは記録容量を増大させるために、互いに隣接するランドおよびグルーブの両方が記録／再生領域として用いられている。
【０００３】
各トラックは複数のセクタからなり、各セクタのヘッダ領域にはＰＩＤ（Physical ID）がＣＡＰＡ（Complimentary Allocated Pit Addressing）方式で記録されている。ＰＩＤは、再生および記録に用いるアドレス情報である。ＰＩＤを記憶したヘッダ領域は、ランドトラックとグルーブトラックとの間に一対の千鳥状のピット列として配置されている。
【０００４】
この一対のヘッダ領域の前半部分がランドトラックのアドレスを記憶し、後半部分がグルーブトラックのアドレスを記憶している。また、ヘッダ領域の前半部分のアドレスおよび後半部分のアドレスは、トラック１周分のアドレス差があり、アドレス値の小さい方がアクセス中のトラックのアドレス情報となる。
【０００５】
ＤＶＤ−ＲＡＭのフォーマットでは、各ゾーンの最初のトラックはグルーブであり、最終のトラックはランドである。また、ディスク１周あたりのセクタ数はゾーンごとに異なり、内周から外周へ向かってゾーンが１増えるごとにディスク１周あたりのセクタ数が１つ増える。従って、隣り合うゾーンの境界（以下、ゾーン境界という）において、ゾーンの最終のランドトラック（１番最後のトラック）では、ヘッダ領域の前半部分およびその後半部分の配置にずれが生じる。これにより、ヘッダ領域の千鳥形状がくずれ、その前半部分と後半部分とがイリーガルな間隔で配置される（図４参照）。従って、トラッキングエラー信号（ＴＥ信号）の発生が不規則となり、ＴＥ信号に基づいて生成されるヘッダ検出信号の発生間隔がイリーガルとなる。その結果、フライホイールがロックし得ないために、ヘッダゲート信号の生成間隔が保証されないという問題が生じる。
【０００６】
この問題に対処するために、ピックアップがゾーン最後のグルーブトラックにある場合、ゾーン境界となるランドトラックを避け、次のゾーンへジャンプする技術が提案されている（特許文献１）。この技術では、ランド／グルーブ極性信号（以下、ＬＧ極性信号という）の切り替えは、ＰＩＤのデータに基づいて実行される。
【０００７】
しかし、ゾーン境界のトラックは、ガードエリアとしてユーザ情報を記録していない。従って、シーク時の目標トラックにはされないものの、ピックアップが誤ってゾーン境界に着地した場合には、前述したようにヘッダ信号の生成間隔が保障されないので、ＰＩＤの検出が困難になる。
【０００８】
また、ランド／グルーブ極性をＴＥ信号に基づいて判断する技術がある（特許文献２）。しかし、ゾーン境界におけるＴＥ波形は、ヘッダの予測をし難いため、サーボホールドが正しい位置で行われないこと、並びに、ヘッダ領域のずれによりＣＡＰＡが片側だけにしか現れないことから理想的なＴＥ波形を得ることができない。これにより、ランドとグルーブとの切り替わりを判断することが困難な場合がある。その結果、シーク時にピックアップが誤ってゾーン境界に着地した場合には、ゾーン境界のランドトラックから次のゾーンの先頭のグルーブトラックへ移行することができず、同一のランドトラックに留まる可能性がある。ＰＩＤが読めないままこの動作は無限ループのように永久に続く可能性がある。このような場合、ＣＰＵがタイマでこの動作を終了させる必要がある。その結果、シーク時間の増大を招くという問題があった。
【特許文献１】特開平１１−１１０７６３号公報
【特許文献２】特開平１０−１１７６０号公報
【発明の開示】
【発明が解決しようとする課題】
【０００９】
ピックアップが誤ってゾーン境界に着地した場合であっても、シーク時間を増大させることなく、ピックアップをスムーズに次のゾーンへ移行させることができる光ディスク装置を提供する。
【課題を解決するための手段】
【００１０】
本発明に係る実施形態に従った光ディスク装置は、光ディスク媒体に、光ビームを照射することによって情報を記録または再生する光ディスク装置であって、前記光ビームを複数に分割した第1のビームスポットと第２のビームスポットとの差信号または和信号に基づいて、ヘッダ領域を示すヘッダ検出信号を生成するヘッダ検出信号生成部と、前記ヘッダ検出信号の変化に基づいて前記光ビームが複数のグルーブトラックおよび複数のランドトラックからなるゾーン同士間の境界領域にあることを判定するゾーン境界判定部と、或る記録セクタを目標として前記光ビームを移動させるときに、前記光ビームが前記ゾーンの境界領域に到着した場合、該光ビームを前記ゾーンの境界領域以外のトラックへジャンプさせるトラッキング制御回路とを備えたことを特徴とする。
【発明の効果】
【００１１】
本発明による光ディスク装置は、ピックアップが誤ってゾーン境界に着地した場合であっても、シーク時間を増大させることなく、ピックアップをスムーズに次のゾーンへ移行させることができる。
【発明を実施するための最良の形態】
【００１２】
以下、図面を参照して本発明に係る実施形態を説明する。本実施形態は、本発明を限定するものではない。  以下の実施形態では、ヘッダ検出信号のパターンの変化によってＤＶＤ−ＲＡＭのゾーン境界を判定する。これにより、ピックアップがゾーン境界にいることを確実かつ短時間で検出し、シーク時間の増大を防ぐことができる。
【００１３】
（第1の実施形態）
図１は、ＤＶＤ−ＲＡＭ１の構成図である。一般に、ＤＶＤ−ＲＡＭ１は、ＺＣＬＶ（Zoned Constant Linear Velocity）方式を採用している。ＤＶＤ−ＲＡＭ１は、複数のゾーン４３ａ〜４３ｘに分割されている。ゾーン４３ａ〜４３ｘのそれぞれは、複数のトラック（図示せず）から構成される。トラックは、ディスク上に円周状に形成され、ディスク一周分に相当する記録領域である。トラックには、グルーブトラックおよびランドトラックがあり、グルーブトラックおよびランドトラックが交互にディスク上に形成されている。グルーブトラックとランドトラックとの切り替えポイントにおいて、ピックアップは、グルーブトラックからランドトラックへ、あるいは、ランドトラックからグルーブトラックへ移行する。これにより、ピックアップは、ディスク一周ごとにグルーブトラックとランドトラックとを交互に連続的に走査する。尚、各ゾーンにおいて最初のトラックはグルーブであり、最後のトラックはランドである。ＤＶＤ−ＲＡＭ１では、グルーブトラックおよびランドトラックの両方が記録領域である。トラックは、複数の記録セクタに分割され、この記録セクタにユーザのデータが記録される。各ゾーンについての１トラック当たりのセクタ数は同一であり、内周側のゾーンから外周側のゾーンへ移行するごとに順次１トラックあたりのセクタ数が１つずつ増加する。
【００１４】
図２および図３は、隣り合う記録セクタ間のヘッダ領域近傍の構成を示す図である。図２は、グルーブ／ランド切り替えポイントにおけるヘッダ領域を示している。図３は、グルーブトラックまたはランドトラックの途中部分のヘッダ領域を示している。
【００１５】
各記録セクタの先頭部分にはヘッダ領域ＨＤＲ０が設けられている。ヘッダ領域ＨＤＲ０は、第１のヘッダ部ＨＤＲ１および第２のヘッダ部ＨＤＲ２を含む。第１のヘッダ部ＨＤＲ１は、ランドトラックに対してディスクの半径方向のインナ方向へ半ピッチずれており、このランドトラック内の記録セクタに対応して設けられている。第２のヘッダ部分ＨＤＲ２は、第１のヘッダ部ＨＤＲ１と逆方向に半ピッチずれており、グルーブトラック内の記録セクタに対応して設けられている。このように、隣り合う記録セクタ間において、第１のヘッダ部分ＨＤＲ１および第２のヘッダ部分ＨＤＲ２は、ディスクの半径方向に１ピッチずれた状態でディスクの円周方向に隣接している。即ち、第１のヘッダ部分ＨＤＲ１および第２のヘッダ部分ＨＤＲ２は、図２および図３に示すように千鳥状に配置されている。
【００１６】
ヘッダ領域ＨＤＲ０は、対応する記録セクタのアドレス情報が記録されている。また、第１のヘッダ部分ＨＤＲ１および第２のヘッダ部分ＨＤＲ２に記憶される各々のアドレス情報の大小関係から、ランド／グルーブの極性判別が可能である。従って、データの記録／再生時には、ヘッダ領域ＨＤＲ０を検出することが重要である。
【００１７】
図４は、ディスク回転数を一定にした場合に、隣り合うゾーンの境界領域の記録セクタおよびヘッダ領域の再生波形を概略的に示した図である。ディスクの回転数を一定にした場合、各記録セクタＳの発生間隔は同一ゾーン内では等しく、ゾーン間で異なる。また、ディスクに対する物理的配置上、ゾーン境界部分は、通常千鳥状に配置されるヘッダの配列が崩れる。尚、図４に示すＧは、グルーブセクタを示し、Ｌはランドセクタを示す。
【００１８】
図５は、本発明に係る実施形態に従った光ディスク装置６０の構成図である。光ディスク装置６０は、記録媒体としての光ディスク（ＤＶＤ−ＲＡＭ）４０に対して集束光を用いてデータを記録し、光ディスク４０に記録されているデータを再生する装置である。光ディスク装置６０は、記録または再生の指示を行う光ディスク制御装置６２を含む。
【００１９】
光ディスク４０は、モータ６３によって、例えば、ゾーンごとに異なった回転数で回転される。このモータ６３は、モータ制御回路６４によって制御されている。
【００２０】
データの記録または再生は、光学ヘッド６５によって行われる。光学ヘッド６５は、リニアモータ６６の可動部を構成する駆動コイル６７に固定されており、駆動コイル６７はリニアモータ制御回路６８に接続されている。
【００２１】
リニアモータ制御回路６８には、速度検知器６９が接続されており、光学ヘッド６５の速度信号をリニアモータ制御回路６８に送る。また、リニアモータ６６の固定部には、図示しない永久磁石が設けられており、駆動コイル６７がリニアモータ制御回路６８によって励磁されることにより、光学ヘッド６５は、光ディスク４０の半径方向に移動される。
【００２２】
光学ヘッド６５には、対物レンズ７０が図示しないワイヤあるいは板ばねによって支持されており、対物レンズ７０は、駆動コイル７１によってフォーカシング方向（レンズの光軸方向）に移動され、駆動コイル７２によってトラッキング方向（レンズの光軸と直交する方向）に移動可能とされている。
【００２３】
また、レーザ制御回路７３によって半導体レーザ発振器７９が駆動されると、レーザ光が発生する。レーザ制御回路７３は、半導体レーザ発振器７９のモニタ用のフォトダイオードＰＤからのモニタ電流に応じて半導体レーザ発振器７９によるレーザ光の光量を補正する。
【００２４】
レーザ制御回路７３は、図示しないＰＬＬ回路からの記録用のクロック信号に同期して動作する。ＰＬＬ回路は、発振器（図示しない）からの基本クロック信号を分周して、記録用のクロック信号を発生する。
【００２５】
レーザ制御回路７３によって駆動される半導体レーザ発振器７９より発生されたレーザ光は、コリメータレンズ８０、ハーフプリズム８１、対物レンズ７０を介して光ディスク４０上に照射される。光ディスク４０からの反射光は、対物レンズ７０、ハーフプリズム８１、集光レンズ８２、およびシリンドリカルレンズ８３を介して光検知器８４に導かれる。
【００２６】
光検知器８４は、４分割の光検知セル８４ａ、８４ｂ、８４ｃ、８４ｄによって構成されている。光検知器８４の光検知セル８４ａの出力信号は、増幅器８５ａを介して加算器８６ａの一端に供給され、光検知セル８４ｂの出力信号は、増幅器８５ｂを介して加算器８６ｂの一端に供給され、光検知セル８４ｃの出力信号は、増幅器８５ｃを介して加算器８６ａの他端に供給され、光検知セル８４ｄの出力信号は、増幅器８５ｄを介して加算器８６ｂの他端に供給される。
【００２７】
光検知セル８４ａの出力信号は、増幅器８５ａを介して加算器８６ｃの一端に供給され、光検知セル８４ｂの出力信号は、増幅器８５ｂを介して加算器８６ｄの一端に供給され、光検知セル８４ｃの出力信号は、増幅器８５ｃを介して加算器８６ｄの他端に供給され、光検知セル８４ｄの出力信号は、増幅器８５ｄを介して加算器８６ｃの他端に供給される。
【００２８】
加算器８６ａの出力信号は差動増幅器ＯＰ２の反転入力端に供給され、この差動増幅器ＯＰ２の非反転入力端には加算器８６ｂの出力信号が供給される。これにより、差動増幅器ＯＰ２は、加算器８６ａ、８６ｂの差に応じてフォーカス点に関する信号（フォーカス誤差信号）をフォーカシング制御回路８７に供給する。フォーカシング制御回路８７の出力信号は、フォーカシング駆動コイル７１に供給される。フォーカシング駆動コイル７１は、レーザ光が光ディスク４０上で常時ジャストフォーカスとなるように制御される。
【００２９】
加算器８６ｃの出力信号は差動増幅器ＯＰ１の反転入力端に供給され、差動増幅器ＯＰ１の非反転入力端には加算器８６ｄの出力信号が供給される。これにより、差動増幅器ＯＰ１は、加算器８６ｃ、８６ｄの差に応じてトラッキング誤差信号をトラッキング制御回路８８およびデータ再生回路７８に供給する。このトラッキング制御回路８８は、差動増幅器ＯＰ１から供給されるトラッキング誤差信号に応じてトラック駆動信号を作成する。
【００３０】
トラッキング制御回路８８から出力されるトラック駆動信号は、トラッキング方向の駆動コイル７２に供給される。また、トラッキング制御回路８８で用いられたトラッキング誤差信号は、リニアモータ制御回路６８に供給される。
【００３１】
トラッキング制御回路８８で対物レンズ７０が移動されている際、リニアモータ制御回路６８は、対物レンズ７０が光学ヘッド６５内の中心位置近傍に位置するようにリニアモータ６６、即ち、光学ヘッド６５を移動させる。
【００３２】
上記のようにフォーカシング、トラッキングを行った状態での光検知器８４の各光検知セル８４ａ、〜８４ｄの出力の和信号、つまり加算器８６ｃ、８６ｄからの出力信号を加算器８６ｅで加算した信号は、トラック上に形成されたピット（記録データ）からの反射率の変化が反映されている。この信号は、データ再生回路７８に供給され、このデータ再生回路７８において、記録されているデータが再生される。
【００３３】
ゾーン境界判別回路１０１は、加算器８６ｅの出力および差動増幅器ＯＰ１の出力と接続されている。また、ゾーン境界判別回路１０１は、データ再生回路７８およびヘッダ保護回路１００からヘッダ検出信号を受け取ることができるように接続されている。さらに、ゾーン境界判別回路１０１の出力はトラッキング制御回路８８に接続されており、へピックアップがゾーン境界に着地したか否かを示す判定結果をトラッキング制御回路８８へ出力することができる。
【００３４】
以下、光ディスク装置の基本的な動作を説明する。
【００３５】
［ＤＶＤ−ＲＡＭへの記録動作］
レーザ制御回路７３の前段には、データ生成回路７４が設けられている。データ生成回路７４は、ＥＣＣブロックデータ生成回路７４ａと変調回路７４ｂとを備える。ＥＣＣブロックデータ生成回路７４ａは、エラー訂正回路９２から供給される記録データとしてのＥＣＣブロックのフォーマットデータを、ＥＣＣブロック用の同期コードを付与した記録用のＥＣＣブロックのフォーマットデータに変換する。変調回路７４ｂは、ＥＣＣブロックデータ生成回路７４ａからの記録データを８−１６コード変換方式で変調する。
【００３６】
データ生成回路７４には、エラー訂正回路９２によりエラー訂正符号が付与された記録データやメモリ１０から読出されたエラーチェック用のダミーデータが供給される。エラー訂正回路９２には光ディスク制御装置６２からの記録データがインターフェース回路９５およびバス８９を介して供給される。
【００３７】
エラー訂正回路９２は、光ディスク制御装置６２から供給される３２Ｋバイトの記録データを、２Ｋバイトごとのセクタ単位の記録データに対する横方向と縦方向のそれぞれのエラー訂正符号（ＥＣＣ１、ＥＣＣ２）を付与する。これとともに、エラー訂正回路９２は、セクタＩＤ（論理アドレス番号）を付与し、ＥＣＣブロックのフォーマットデータを生成する。
【００３８】
光ディスク装置６１は、フォーカシング制御回路８７、トラッキング制御回路８８およびＤ／Ａ変換器９１を備えている。Ｄ／Ａ変換器９１は、リニアモータ制御回路６８と光ディスク装置の全体を制御するＣＰＵ９０との間で情報の送受信を行うために用いられる。
【００３９】
モータ制御回路６４、リニアモータ制御回路６８、レーザ制御回路７３、データ再生回路７８、フォーカシング制御回路８７、トラッキング制御回路８８、エラー訂正回路９３等は、バス８９を介してＣＰＵ９０によって制御される。ＣＰＵ９０はメモリ９３に記録された制御プログラムによって所定の動作を実行する。
【００４０】
メモリ９３は、制御プログラムが記録されていたり、データ記録用に用いられる。メモリ９３は、図１の各ゾーン４３ａ、…４３ｘに対する回転数（速度データ）や各トラックに含まれるセクタ数等が記録されている。
【００４１】
図６は、トラッキング制御回路８８の構成を示す回路図である。トラッキング制御回路８８は、切換スイッチ１０１、極性反転回路１０２、位相補償回路１０３、および駆動回路１０４を備える。
【００４２】
切換スイッチ１０１は、ＣＰＵ９０からのトラッキング極性切換信号（ランド／グルーブ切換信号）に基づいて切換わる。トラッキング極性切換信号の極性がグルーブの場合、切換スイッチ１０１は、差動増幅器ＯＰ１からのトラックエラー信号を位相補償回路１０３へ出力する。トラッキング極性切換信号の極性がランドの場合、切換スイッチ１０１は、極性反転回路１０２により極性が反転されたトラックエラー信号を位相補償回路１０３へ出力する。ＣＰＵ９０はリードしたアドレス（ＰＩＤ）情報からアクセス中のトラックがランドなのかグルーブなのかを判断する。ＣＰＵ９０は、さらにトラッキング極性切り替え信号を出力する。この切り替え処理は１周毎に発生する。
【００４３】
極性反転回路１０３は、差動増幅器ＯＰ１から供給されるトラックエラー信号の極性を反転（逆相）させる。極性反転回路１０３の出力は切換スイッチ１０２に供給される。
【００４４】
位相補償回路１０３は、切換スイッチ１０１から供給される正極性（正相）のトラックエラー信号あるいは逆極性（逆相）のトラックエラー信号の位相を補償し、駆動回路１０４へ出力する。
【００４５】
駆動回路１０４は、位相補償回路１０３からのトラック駆動信号により、駆動コイル７１を駆動することにより、対物レンズ７０をトラッキング方向へ移動する。
【００４６】
［光ディスク装置６１の機構］
図１の光ディスク装置６１に搭載されている光学ヘッド６５にはホームポジションがあり、電源投入時などにはこの位置に必ず光学ヘッド６５が位置するように制御されている。ホームポジションは、機械的に半径位置が所定値になるように設計されている。ＣＰＵ９０は、ホームポジションが何番目のゾーンであるかを知っており、このゾーンに合わせて光ディスク４０の回転数を決定する。ホームポジションで現在位置のセクタアドレスをリードする。
【００４７】
データの記録／再生時に、或るセクタをシークしたい場合、ＣＰＵ９０は、シーク先のセクタのアドレスと現在位置のアドレスとの間の距離を計算し、光学ヘッド６５の粗動機構としてのリニアモータ６７を駆動する。シーク先のセクタのアドレスからゾーン番号、回転数が分かるので、モータ６３は、その回転数で光ディスク４０を回転させる。
【００４８】
その後、光学ヘッド６５が移動した場合、ヘッダ領域の読み取りにより移動位置を確認する。ＣＰＵ９０は、この移動した位置とシーク先の目標のセクタとの差を計算し、トラッキング制御回路８８を用いて目標のセクタまでトラッキングジャンプする。なお、実際には、光学ヘッド６５は、シーク先の番地に対して１周ないし２周程度前のトラックを目標として移動する。ＣＰＵ９０は、目標セクタがランドまたはグルーブのいずれであるかを予め計算する。
【００４９】
［ゾーン境界をわたっての記録動作］
例えば、所定のＥＣＣブロック（ゾーン０）から記録（ライト）を行うとする。このとき、データ記録指示と記録するデータとが、光ディスク制御装置６２からインターフェース回路９５を介して光ディスク装置６１内に供給される。これにより、データ記録指示はＣＰＵ９０へ供給され、記録データはメモリ９３に記憶される。
【００５０】
これにより、ＣＰＵ９０は、このＥＣＣブロックの先頭のセクタからの記録を判断する。ＣＰＵ９０は、その先頭セクタに対応するトラック番号とセクタ番号とからなるアドレスとともに、その先頭セクタが含まれるゾーン０に対応する回転数を判断する。
【００５１】
この判断に応じて、ＣＰＵ９０は、ゾーン０に対応する回転数で光ディスク４０を回転させ、光学ヘッド６５によるレーザ光の照射位置を上記アドレスに対応する位置まで移動させる。これをアクセス処理という。
【００５２】
このアクセス処理が行われた後、ＣＰＵ９０は、新たに訂正コードを付与して１つ目のＥＣＣブロックの記録データを生成し、これを光ディスク１に記録する。
【００５３】
以後、光ディスク制御回路６２から供給され同一ゾーン内で連続するＥＣＣブロックへ、データの記録が行われる。ゾーン０の最後のＥＣＣブロックへデータを記録した後、ＣＰＵ９０はゾーン１への移行を判断し、ゾーン１に対応する回転数に光ディスク４０の回転を変更する。
【００５４】
この結果、ゾーン１のユーザエリアの最初のＥＣＣブロックから順にデータが記録される。ゾーン境界にわたってデータを記録する場合、上述したように光ディスク４０の回転数と１トラックあたりのセクタ数との関係により、光ディスク全面にわたり一定の転送レートを確保できる。
【００５５】
［ゾーン境界をわたっての再生動作］
例えば、所定のＥＣＣブロック（ゾーン０）から再生（リード）を行うとする。このとき、データ再生（リード）の指示が、光ディスク制御装置６２からインターフェース回路９５を介して光ディスク装置６１内のＣＰＵ９０に供給される。これにより、ＣＰＵ９０は、所定のＥＣＣブロックの先頭のセクタからの再生を判断する。ＣＰＵ９０は、その先頭セクタに対応するトラック番号とセクタ番号とからなるアドレスとともに、その先頭セクタが含まれるゾーン０に対応する回転数を判断する。この判断に応じて、ＣＰＵ９０は、アクセス処理を行う。
【００５６】
アクセス処理が行われた後、ＣＰＵ９０はデータ再生回路７８内の復調回路２０８（図８参照）により復調されるＥＣＣブロック単位のデータをエラー訂正回路９２へセクタ領域ごとに出力する。これにより、１ＥＣＣブロック分のデータがエラー訂正回路９２に供給され、ＥＣＣ１、ＥＣＣ２を用いてエラー訂正処理を行う。
【００５７】
エラー訂正処理が正常に終了すると、ＣＰＵ９０は、ＥＣＣブロックの再生データを、再生結果としてインターフェース回路９５を介して光ディスク制御回路６２へ出力する。
【００５８】
以後、同一ゾーン内の連続するＥＣＣブロックの再生データが光ディスク制御回路６２へ出力される。ゾーン０のユーザエリアの最後のＥＣＣブロックの再生データが光ディスク制御回路６２へ出力された後、ＣＰＵ９０は、ゾーン１への移行を決定し、ゾーン１に対応する回転数で光ディスク４０を回転させる。
【００５９】
その結果、再生データは、ゾーン１のユーザエリアの最初のＥＣＣブロックのデータから順に光ディスク制御回路６２へ出力される。ゾーン境界にわたって再生する場合には、光ディスク４０の回転数と１トラックあたりのセクタ数との関係により、転送速度を安定させることができる。
【００６０】
以下、データ再生回路７８、ヘッダ保護回路１００およびゾーン境界判別回路の構成および動作をより詳細に説明する。データ再生回路７８およびヘッダ保護回路１００は、ヘッダ検出信号生成部として作用する。
【００６１】
[データ再生回路７８による再生信号の生成]
図７および図８は、データ再生回路７８の構成図である。データ再生回路７８は、スイッチＳＷ１と、全波整流器２０１と、２値化回路２０２、２０４と、スイッチＳＷ２と、ローパルフィルタ（ＬＰＦ）２０３と、シンク検出回路２０５と、ＡＭ検出回路２０６と、ＰＬＬ回路２０７と、復調回路２０８とを備えている。
【００６２】
データ再生回路７８は、再生用のＲＦ波形のプッシュプル信号および和信号を受信する。プッシュプル信号は、差動増幅器ＯＰ１からの出力信号である。和信号は、加算器８６ｅからの出力信号である。
【００６３】
スイッチング素子ＳＷ１は、ゲート信号ＨＥＡＤＧＴによってプッシュプル信号と和信号とのいずれかを選択する。全波整流器２０１は、プッシュプル信号の負極性信号を正極性信号へ変換する。２値化回路２０２は、プッシュプル信号または和信号を２値データ（再生２値化信号）に変換する。
【００６４】
再生２値化信号は、図８に示すシンク検出回路２０５、ＡＭ検出回路２０６およびＰＬＬ回路２０７へ入力される。ＰＬＬ回路２０７は、２値化信号からチャネルクロックを生成し、チャネルクロックをシンク検出回路２０５、ＡＭ検出回路２０６および復調回路２０８に供給する。シンク検出回路２０５は、ユーザ領域に記録されている所望のシンクパターン列を再生２値化信号から検出し、ユーザ領域のデータ復調タイミング、即ち、シリアル−パラレル変換のタイミングを生成する。同様に、ＡＭ検出回路２０６は、ヘッダ領域に予め形成されている所望のＡＭパターン列を再生２値化信号から検出し、ヘッダ領域のデータ復調タイミングを生成する。シンク検出回路２０５およびＡＭ検出回路２０６において得られた復調タイミングによって、ヘッダ領域のアドレス情報（ＰＩＤ情報）等が得られる。
【００６５】
図９は、データ再生回路７８で処理される再生用の信号の波形図である。この図では、２つの記録セクタＳ（以下、ユーザ領域Ｓともいう）および２つのヘッダ領域ＨＤＲ０に対応する信号波形を示している。
【００６６】
プッシュプル信号は、ピックアップとして用いられる光ビームを複数に分割した第1のビームスポットと第２のビームスポットとの信号差を示す信号である。例えば、光ビームを２つに分割し、一方のビームを第1のビームスポットとし、他方のビームを第２のビームスポットとしてよい。光ビームをＡ、Ｂ、ＣおよびＤの４つに分割し、第1のビームスポットを（Ａ＋Ｄ）とし、第２のビームスポットを（Ｂ＋Ｃ）としてもよい。光ビームは、さらに、２ｍ以上に分割してもよい（ｍは３以上の整数）。この場合、この光ビームのうちｍ個のビームを第1のビームスポットとし、他のｍ個のビームを第２のビームスポットとする。
【００６７】
プッシュプル信号では、ユーザ領域Ｓにおいて波形が現れず、ヘッダ領域ＨＤＲ０でのみＲＦ波形が現れる。従って、プッシュプル信号は、ヘッダ領域ＨＤＲ０の情報を再生するのに適している。ヘッダ部分におけるプッシュプル信号は、ＣＡＰＡ方式により第1のヘッダ部ＨＤＲ１と第２のヘッダ部ＨＤＲ２とで極性が異なる。第1のヘッダ部ＨＤＲ１は負極性である。全波整流回路２０１がこのプッシュプル信号を全波整流する。ヘッダ領域ＨＤＲ０においてゲート信号ＨＥＡＤＧＴがハイになることによって、図７のスイッチＳＷ１は、プッシュプル側（Ｎ１）へ接続される。これにより、ヘッダ領域ＨＤＲ０のＲＦ信号が抽出される。
【００６８】
一方、ユーザ領域ＳのＲＦ信号は和信号から抽出される。和信号は、光ビームを２分割した第1のビームスポットからの信号と第２のビームスポットからの信号との和である。和信号では、ユーザ領域Ｓおよびヘッダ領域ＨＤＲ０においてＲＦ波形が現れる。ユーザ領域Ｓにおいてゲート信号ＨＥＡＤＧＴがロウになることによって、図７のスイッチＳＷ１は、和信号側（Ｎ２）へ接続される。これにより、ユーザ領域ＳのＲＦ信号が抽出される。
【００６９】
図７の２値化回路２０２へ入力される選択信号は、図９に示すようにヘッダ領域ＨＤＲ０およびユーザ領域ＳのそれぞれのＲＦ信号を合わせた再生信号となる。このＲＦ信号は、２値化回路２０２で２値化され、さらに、図８に示す復調回路２０８で復調される。これにより、復調データおよびＰＩＤ情報が得られる。
【００７０】
尚、一般的に２．６ＧＢディスクでは、上記のように、プッシュプル信号および和信号を用いて再生が実行され、４．７ＧＢディスクでは、ヘッダ領域およびユーザ領域の信号はともに和信号から抽出される。
【００７１】
[データ再生回路７８によるヘッダ検出信号の生成]
図７に示すように、和信号および全波整流後のプッシュプル信号は、スイッチＳＷ２に接続されている。スイッチＳＷ２に入力される和信号および全波整流後のプッシュプル信号は、ヘッダ検出信号を生成するために用いられる。このとき、２．６ＧＢディスクを用いてデータを記録／再生する場合には、スイッチＳＷ２は、プッシュプル側（Ｎ１）に接続される。４．７ＧＢディスクを用いてデータを記録／再生する場合には、スイッチＳＷ２は、和信号側（Ｎ２）に接続される。スイッチＳＷ２は、光ディスク制御装置６２の制御ＣＰＵにより切り替えられる。
【００７２】
図１０は、２．６ＧＢディスクの場合、即ち、プッシュプル信号を用いてヘッダ検出信号を生成する場合の各種信号の波形図である。ＲＦ信号、プッシュプル信号および全波整流後のプッシュプル信号は、図９に示すものと同じである。ＬＰＦ２０３は、全波整流後のプッシュプル信号の高周波成分をカットする。その後、２値化回路２０４が、プッシュプル信号を２値化する。これにより、２値化されたヘッダ検出信号が生成される。このように、ＲＦ信号を用いて得られたヘッダ検出信号を、ヘッダ検出信号（ｂｙＲＦ）とする。
【００７３】
図１１は、４．７ＧＢディスクの場合、即ち、和信号を用いてヘッダ検出信号を生成する場合の各種信号の波形図である。ＲＦ信号、和信号およびは、図９に示すものと同じである。ＬＰＦ２０３は、和信号の高周波成分をカットする。その後、２値化回路２０４が、和信号を２値化する。これにより、ヘッダ検出信号（ｂｙＲＦ）が生成される。
【００７４】
通常、２．６ＧＢディスクまたは４．７ＧＢディスクの一方のみが使用されるので、２．６ＧＢディスクのヘッダ検出信号（ｂｙＲＦ）と４．７ＧＢディスクのヘッダ検出信号（ｂｙＲＦ）はここでは特に区別しない。
【００７５】
［ヘッダ保護回路１００によるヘッダ検出信号の生成］
図１２および図１３は、ヘッダ保護回路１００の構成を示すブロック図である。図１４は、ヘッダ保護回路１００で処理される信号の波形図である。通常、トラッキングサーボの影響によりユーザ領域ＳではＴＥ信号は図１４に示すように安定している。しかし、ヘッダ領域ＨＤＲ０では千鳥に配置された第1のヘッダ部ＨＤＲ１および第２のヘッダ部ＨＤＲ２の影響により、大きく振れる。通常、ヘッダ領域ＨＤＲ０ではトラッキングサーボをホールドするか、あるいは、トラッキングサーボのゲインを小さくする。
【００７６】
ＴＥ信号は、ピックアップがトラックの中心位置からどれだけずれているかを示す信号である。ＴＥ信号は、ピックアップがトラックの中心に位置する場合にはゼロであり、その中心から離れるにしたがって正または負の方向へ絶対値として大きくなる。
【００７７】
図１２に示すヘッダ保護回路１００では、ＬＰＦ３０１がまずＴＥ信号の高周波成分をカットする。その後、ＴＥ信号は、比較器３０２および３０３のそれぞれに入力される。比較器３０２はＴＥ信号を上側電位Ａと比較して上側電位Ａよりも高い信号部分をカットする。比較器３０３はＴＥ信号を下側電位Ｂと比較して下側電位Ｂよりも低い信号部分をカットする。これにより、図１４に示すように、上側スライス信号および下側スライス信号を得る。
【００７８】
比較器３０２の出力および比較器３０３の反転出力はＯＲ回路３０４に接続されている。ＯＲ回路３０４は、下側スライス信号の反転信号と上側スライス信号とのＯＲ演算を実行する。これにより、図１４にしめすように、下側スライス信号の反転信号と上側スライス信号とをＯＲ演算した信号が得られる。
【００７９】
ＯＲ回路３０４の出力は、１本化信号生成回路３０５に接続されている。１本化信号生成回路３０５は、ＯＲ演算後の信号をヘッダ領域ＨＤＲ０ごとに１本化する。より詳細には、１本化信号生成回路３０５は、ＯＲ演算後の信号の２回目の立ち上がりをマスクする。これにより、ＯＲ演算後の信号の最初の立ち上がりからヘッダ領域ＨＤＲ０の終点まで（期間Ｔ１）続くパルスを生成することができる。１本化とは、ＯＲ演算後の信号の最初の立ち上がりからヘッダ領域ＨＤＲ０の終点までワンショットで続くパルスを生成することである。この一本化された信号が、ヘッダ検出信号となる。このように、ＴＥ信号から得られたヘッダ検出信号を、ヘッダ検出信号（ｂｙＴＥ）という。
【００８０】
ヘッダ検出信号（ｂｙＴＥ）は、図１３に示すヘッダ保護用カウンタ３０８および周期計測カウンタ３０９に入力される。期間計測カウンタ３０９は、ヘッダ検出信号（ｂｙＴＥ）の発生間隔を計測する。ヘッダ検出信号（ｂｙＴＥ）の発生間隔に基づいて、ヘッダ保護用カウンタ３０８が制御される。ヘッダ保護用カウンタ３０８の制御を受けて、ヘッダ検出信号に対しフライホイールを実行する。フライホイールは、ディスク再生レートの揺らぎやディスクの傷の影響によってＴＥ信号が不安定になることを抑制する。これにより、ヘッダ領域とユーザ領域との区別がより安定する。
【００８１】
尚、ヘッダ検出信号（ｂｙＲＦ）のパルスの立ち上がり位置およびパルス幅は、ヘッダ検出信号（ｂｙＴＥ）のそれらと比べてヘッダ領域ＨＤＲ０の始点および幅に近似する。
【００８２】
図１に示すデータ再生回路７８で再生されたＰＩＤデータは図１に示すＣＰＵ９０に出力され、制御ＭＰＵはＰＩＤデータからピック位置を把握する。データ再生回路７８で再生されたユーザデータは、付与されているエラー訂正コードＥＣＣを用いてエラー訂正回路９２でエラー訂正を行った後、インターフェース回路９５を介して外部装置としての光ディスク制御装置６２に出力される。
【００８３】
［ゾーン境界判定回路１０１によるトラックジャンプ信号の生成］
図１５は、ゾーン境界判定回路１０１の構成を示すブロック図である。ゾーン境界判定回路１０１は、スイッチＳＷ３と、期間計測回路４０１と、幅計測回路４０２と、ゾーン境界判定部４０３とを備えている。スイッチＳＷ３は、ヘッダ検出信号（ｂｙＴＥ）またはヘッダ検出信号（ｂｙＲＦ）のいずれかを選択することができるように構成されている。ヘッダ検出信号（ｂｙＴＥ）は、図１２に示すヘッダ保護回路１００から得ることができる。ヘッダ検出信号（ｂｙＲＦ）は、図７に示すデータ再生回路７８から得ることができる。
【００８４】
ヘッダ検出信号（ｂｙＲＦ）またはヘッダ検出信号（ｂｙＴＥ）のいずれを選択するかに関しては、ゾーン境界でのそれぞれのヘッダ検出信号の検出確度によりシステム的に決定される。現実的には、トラッキングの影響を受けにくく、かつ、ヘッダ幅の再現性のよいヘッダ検出信号（ｂｙＲＦ）を選択することが好ましい。以下、スイッチＳＷ３によって選択されたヘッダ検出信号（ｂｙＲＦ）またはヘッダ検出信号（ｂｙＴＥ）を、単にヘッダ検出信号と呼ぶ。
【００８５】
スイッチＳＷ３によって選択されたヘッダ検出信号は、期間計測回路４０１および幅計測回路４０２へ入力される。期間計測回路４０１は、ヘッダ検出信号の立ち上がりの発生時間の間隔を計測する。幅計測回路４０２は、ヘッダ検出信号のパルス幅を計測する。
【００８６】
その後、ヘッダ検出信号は、ゾーン境界判定部４０３へ入力される。ゾーン境界判定部４０３では、ゾーン境界条件が予めＣＰＵにより設定されている。ヘッダ検出信号がこのゾーン境界条件を満たした場合にゾーン境界判定部４０３は、ピックアップがゾーン境界に着地したことを決定する。
【００８７】
ゾーン境界判定部４０３は、この判定結果をトラックジャンプ信号としてトラッキング制御回路８８へ出力される。これにより、トラックジャンプが順方向または逆方向へ実行される（方式Ａ）。あるいは、ゾーン境界判定部４０３は、トラックジャンプ信号をＣＰＵ９０へ出力し、トラックジャンプ信号を割り込み信号として受けたＣＰＵ９０がトラックジャンプ信号をトラッキング制御回路８８へ出力してもよい（方式Ｂ）。
【００８８】
ジャンプする方向（順方向または逆方向）は、予めサーチ目標トラックがゾーン境界に対して次のゾーンのトラックであるか、または、同一ゾーンのガードエリア手前のトラックであるかによって決まる。方式Ａの場合、ジャンプすべき方向を予めＣＰＵ９０に設定しておく必要がある。方式Ｂの場合、ＣＰＵ９０が割り込み信号を受けてからジャンプ方向を決めてよい。これにより、ピックアップがゾーン境界にいる場合に、トラックジャンプすることができる。
【００８９】
図１６は、本発明に係る第1の実施形態に従ったゾーン境界の判定方法を示すタイミング図である。図１６では、ゾーン境界の判定動作を示し、その判定結果に応じたトラックジャンプは示していない。
【００９０】
図１６の上側には、図４と同様にゾーン境界における記録セクタ（ユーザ領域）Ｓおよびヘッダ部ＨＤＲ１、ＨＤＲ２を示している。Ｌはランドセクタを示し、Ｇはグルーブセクタを示している。ピックアップは、矢印Ａの方向にランドトラック上を走査する。このランドトラックは、ディスク上を周回して矢印Ａ’が示すランドトラックに繋がっている。ピックアップは、矢印Ａ’の方向へランドトラック上を走査し、ランド／グルーブ切り替えポイントに達する。このとき、ピックアップは、ランドからグルーブへ移行する。その後、ピックアップは、矢印Ｂの方向へグルーブトラック上を走査する。このグルーブトラックは、ディスク上を周回して矢印Ｂ’が示すグルーブトラックに繋がっている。これを繰り返し、ピックアップは、矢印Ｂ’が示すグルーブトラック、矢印Ｃが示すランドトラック、矢印Ｃ’が示すランドトラック、矢印Ｄが示すグルーブトラック、矢印Ｄ’が示すグルーブトラック、矢印Ｅが示すランドトラックへと移動する。即ち、ピックアップは、ランドトラックおよびグルーブトラックを繰り返し走査しつつ、ディスクのインナ側からアウタ側へ移動する。
【００９１】
ここで、ゾーン境界は、矢印ＣおよびＣ’が示すランドトラックであることに注意されたい。矢印ＣおよびＣ’のランドトラック以外のトラックでは、第１のヘッダ部ＨＤＲ１および第２のヘッダ部ＨＤＲ２は、ディスクの半径方向に１ピッチずれた状態で円周方向において隣接している。一方、矢印ＣおよびＣ’のランドトラックでは、第１のヘッダ部ＨＤＲ１および第２のヘッダ部ＨＤＲ２は、ディスクの半径方向に１ピッチずれた状態ではあるが、円周方向では離隔している。
【００９２】
図１６は、ピックアップが矢印Ｂ’およびＣ’のトラックを走査したときのヘッダ検出信号、並びに、ヘッダ検出信号を用いたゾーン境界判定方法を示す概念図である。
【００９３】
ゾーン境界手前の矢印Ａ、Ａ’、Ｂ、Ｂ’で示すトラックをゾーンＺとし、ゾーン境界後の矢印Ｄ、Ｄ’、Ｅで示すトラックをゾーンＺ＋１とする。ゾーンＺにおいて、セクタ長は、実際のセクタ長Ｘに±αの誤差を含めたＸ±αで検出される。ゾーンＺ＋１において、セクタ長は、実際のセクタ長Ｙに±αの誤差を含めたＹ±αで検出される。ゾーンＺ＋１はゾーンＺよりも外周に位置するため、Ｘ＞Ｙの関係が成り立つ。
【００９４】
ヘッダ検出信号を参照すると、矢印Ｂ’のトラックでは、第１のヘッダ部ＨＤＲ１および第２のヘッダ部ＨＤＲ２は隣接しているので、正常なパルスＰ１〜Ｐ３が発生する。パルスＰ１〜Ｐ４の立ち上がりの発生間隔（以下、パルス発生間隔という）は、Ｘ±αである。しかし、ゾーン境界である矢印Ｃ’のトラックでは、第１のヘッダ部ＨＤＲ１および第２のヘッダ部ＨＤＲ２が離隔するので、異常な（イリーガルな）パルスＰ５〜Ｐ１８が発生する。パルスＰ５〜Ｐ１８のパルス発生間隔は、Ｘ±αよりも狭くなる。ゾーン境界ではこのようにヘッダ検出信号の波形パターンが変化する。
【００９５】
尚、パルスＰ１〜Ｐ１８のパルス発生間隔は、図１５の期間計測回路４０１において計測される。期間計測回路４０１は、パルス発生間隔を高速クロック等により計測する。高速クロックは、水晶精度などの固定クロック等が好ましく、チャネルクロックやウォブル信号等のようにレート変動するクロックは避けたほうがよい。
【００９６】
図１５のゾーン境界判定部４０３は、閾値を格納し、パルス発生間隔がこの閾値を下回ったときに“ゾーン境界判定信号１”をアクティブ（ハイ）にする。閾値は、Ｘ−αよりも十分に小さい値であり、例えば、（Ｘ−α）／２である。
【００９７】
ゾーン境界判定回路１０１は、パルス発生間隔が閾値を下回り、かつ、これがｎ回（ｎは自然数）連続した場合に、ピックアップがゾーン境界にあると決定する。ゾーン境界判定回路１０１は、この判定結果に基づいてトラックジャンプパルスを出力する。
【００９８】
より詳細には、ピックアップがゾーン境界に入ると、Ｘ−αよりも短い間隔（“−”または“＊”）が発生する。図１６の“−”は、パルス発生間隔がＸ−αよりも短いが、閾値以上である場合を表している。このときには、ゾーン境界判定信号２ａおよび２ｂにパルスは生じていない。“＊” は、パルス発生間隔が閾値よりも小さい場合を表している。ゾーン境界判定信号１は、“＊” が発生したときにアクティブになる。
【００９９】
ｎ＝１とすると、ゾーン境界判定回路１０１は、ゾーン境界判定信号１がアクティブになったことを検出して、トラックジャンプ信号を送信する。これにより、トラッキング制御回路８８は、ピックアップがゾーン境界からトラックジャンプするように光学ヘッドを制御する。
【０１００】
また、ゾーン境界判定回路１０１は、パルス発生間隔が２回以上連続して閾値を下回った場合（ｎ≧２の場合）に、ピックアップがゾーン境界にあると判定してもよい。即ち、ゾーン境界判定回路１０１は、図１６の“＊”が２回以上連続して現れた時点（パルスＰ１３の時点）でトラックジャンプ信号を送信してもよい。
【０１０１】
さらに、本実施形態は、パルス発生間隔だけでゾーン境界を判定するので、ヘッダ検出信号は、ヘッダ検出信号（ｂｙＲＦ）およびヘッダ検出信号（ｂｙＴＥ）のいずれでもよい。
【０１０２】
第１の実施形態によれば、ピックアップがゾーン境界にいることを確実かつ短時間で検出することができる。その結果、ピックアップを自動的にトラックジャンプさせることにより、シーク時間増大を防ぐことができる。
【０１０３】
（第２の実施形態）
図１７は、本発明に係る第２の実施形態に従ったゾーン境界判定方法を示す概念図である。第２の実施形態は、ヘッダ検出信号のパルスの立ち上がり時点から２つ目のパルスの立ち上がり時点までの間隔を利用している点で第１の実施形態と異なる。即ち、ゾーン境界判定回路１０１は、２パルス毎の発生間隔を計測する。第２の実施形態の光ディスク装置の構成は、第１の実施形態と同様でよい。
【０１０４】
図１７の“片エッジ間距離２ａ”は、奇数番目のパルスＰ１、Ｐ３、Ｐ５・・・の立ち上がり間隔（第１のパルス発生間隔という）を示している。“片エッジ間距離２ｂ”は、偶数番目のパルスＰ２、Ｐ４、Ｐ６・・・の立ち上がり間隔（第２のパルス発生間隔という）を示している。“片エッジ間距離２ａ”から“ゾーン境界判定信号２ａ”を得ることができ、“片エッジ間距離２ｂ”から、“ゾーン境界判定信号２ｂ”を得ることができる。
【０１０５】
第１および第２のパルス発生間隔は、期間計測回路４０１で２つの計測カウンターを利用して測る。
【０１０６】
ゾーンＺでは、第１および第２のパルス発生間隔は、ともにセクタ長Ｘ±αの２倍の値、即ち、２×（Ｘ±α）となる。ゾーンＺ＋１では、第１および第２のパルス発生間隔は、ともにセクタ長Ｙ±αの２倍の値、即ち、２×（Ｙ±α）となる。
【０１０７】
図１５のゾーン境界判定部４０３は、閾値を格納し、第１のパルス発生間隔がこの閾値にほぼ等しくなったときに“ゾーン境界判定信号２ａ”をアクティブ（ハイ）にし、第２のパルス発生間隔がこの閾値にほぼ等しくなったときに“ゾーン境界判定信号２ｂ”をアクティブ（ハイ）にする。閾値は、例えば、（Ｘ±α）または（Ｙ±α）である。
【０１０８】
ピックアップがゾーン境界に入ると、第１および第２のパルス発生間隔が、２×（Ｘ±α）および２×（Ｙ±α）のいずれよりも小さくなる。図１７の“−”は、パルス発生間隔が２×（Ｘ±α）および２×（Ｙ±α）よりも短いが、閾値以上である場合を表している。このときには、ゾーン境界判定信号２ａおよび２ｂにパルスは生じていない。
【０１０９】
第１のパルス発生間隔が閾値（Ｙ±α）にほぼ等しくなったときにゾーン境界判定信号２ａにパルスが発生する。第２のパルス発生間隔が閾値（Ｘ±α）にほぼ等しくなったときにゾーン境界判定信号２ｂ”にパルスが発生する。第１のパルス発生間隔および第２のパルス発生間隔がそれぞれ２×（Ｙ±α）および２×（Ｘ±α）から半減した場合にパルスが発生する。
【０１１０】
ゾーン境界判定信号２ａまたは２ｂのいずれかにパルスが生じたときに、ゾーン境界判定回路１０１は、トラックジャンプ信号を発生する。あるいは、ゾーン境界判定信号２ａまたは２ｂのいずれかにパルスがｎ回連続して生じたときに、ゾーン境界判定回路１０１は、トラックジャンプ信号を発生してもよい。
【０１１１】
ゾーン境界の検出確度を向上させるために、ゾーン境界判定信号２ａおよび２ｂの両方にパルスが生じたときに、ゾーン境界判定回路１０１は、ピックアップがゾーン境界にいると判定してもよい。さらに、ゾーン境界の検出確度を向上させるために、ゾーン境界判定信号２ａまたは２ｂの両方にパルスがｎ回連続して発生したときに、ゾーン境界判定回路１０１は、ピックアップがゾーン境界にいると判定してもよい。
【０１１２】
第２の実施形態ではヘッダ検出信号（ｂｙＴＥ）またはヘッダ検出信号（ｂｙＴＥ）のうちいずれを用いてもよい。
【０１１３】
このように第２の実施形態は、ヘッダ検出信号の２パルス毎に発生間隔を計測する。ゾーン境界では、この間隔は、各ゾーンにおけるセクタ長（Ｘ±αまたはＹ±α）と一致するので、第２の実施形態は、ゾーン境界判別の確度が高い。さらに、第２の実施形態は、第１の実施形態と同様の効果を有する。
【０１１４】
（第３の実施形態）
図１８は、本発明に係る第３の実施形態に従ったゾーン境界の判定方法を示すタイミング図である。第３の実施形態では、ヘッダ幅の計測結果をゾーン境界判定に利用する。上記したように、ヘッダ検出信号（ｂｙＲＦ）は、ヘッダ検出信号（ｂｙＴＥ）よりもヘッダ幅をより忠実に再現することができるため、ここではヘッダ検出信号（ｂｙＴＥ）を用いない。第３の実施形態では、ヘッダ検出信号（ｂｙＲＦ）を用いて検出信号のパルス幅を計測する。第３の実施形態の光ディスク装置の構成は、第１の実施形態と同様でよい。
【０１１５】
図１８のパルス幅計測結果は、ヘッダ検出信号のパルスの立ち上がりから立ち下がりまでの幅を表している。このパルス幅は、ヘッダ領域の幅にほぼ等しい。パルス幅計測結果から“ゾーン境界判定信号３”を得ることができる。このパルス幅計測結果は、図１５の幅計測回路４０２から得られる。
【０１１６】
ゾーンＺでは、ヘッダ部ＨＤＲ１およびＨＤＲ２が隣接するので、パルス幅は、ヘッダ領域ＨＤＲ０の幅Ｃに誤差±βを含む値（Ｃ±β）になる。ゾーンＺ＋１においても、ヘッダ部ＨＤＲ１およびＨＤＲ２が隣接するので、パルス幅は、ゾーンＺ＋１におけるヘッダ領域ＨＤＲ０の幅Ｄに誤差±βを含む値（Ｄ±β）になる。
【０１１７】
図１５のゾーン境界判定部４０３は、閾値を格納し、パルス幅がこの閾値にほぼ等しくなったときに“ゾーン境界判定信号３”をアクティブ（ハイ）にする。閾値は、例えば、（Ｃ／２±β）または（Ｄ／２±β）である。
【０１１８】
ピックアップがゾーン境界に入ると、ヘッダ検出信号のパルス幅が、（Ｃ±β）よりも小さくなる。図１８の“−”は、パルス幅が（Ｃ±β）よりも小さいが、閾値以上である場合を表している。このときには、ゾーン境界判定信号３にパルスは生じていない。
【０１１９】
さらに、ヘッダ部ＨＤＲ１およびＨＤＲ２が離隔すると、ヘッダ検出信号のパルス幅が、閾値（Ｃ／２±β）または（Ｄ／２±β）にほぼ等しくなる。これによりゾーン境界判定信号３にパルスが発生する。即ち、ヘッダ検出信号のパルス幅が（Ｃ±β）または（Ｄ±β）からほぼ半減した場合にパルスが発生する。
【０１２０】
ゾーン境界判定信号３にパルスが生じたときに、ゾーン境界判定回路１０１は、トラックジャンプ信号を発生する。あるいは、ゾーン境界の検出確度を向上させるために、ゾーン境界判定信号３にパルスがｎ回連続して生じたときに、ゾーン境界判定回路１０１は、トラックジャンプ信号を発生してもよい。
【０１２１】
このように第３の実施形態は、ヘッダ検出信号のパルス幅を計測する。ゾーン境界ではヘッダ部ＨＤＲ１およびＨＤＲ２が分離するので、ゾーン境界でのパルス幅は、各ゾーン内のパルス幅の２分の１になる。従って、第３の実施形態は、ゾーン境界判別の確度が高い。さらに、第３の実施形態は、第１の実施形態と同様の効果を有する。
【図面の簡単な説明】
【０１２２】
【図１】ＤＶＤ−ＲＡＭ１の構成図。
【図２】隣り合う記録セクタ間のヘッダ領域近傍の構成を示す図。
【図３】隣り合う記録セクタ間のヘッダ領域近傍の構成を示す図。
【図４】隣り合うゾーンの境界領域の記録セクタおよびヘッダ領域の配置を示す図。
【図５】本発明に係る実施形態に従った光ディスク装置６０の構成図。
【図６】トラッキング制御回路８８の構成を示す回路図。
【図７】データ再生回路７８の構成図。
【図８】データ再生回路７８の構成図。
【図９】データ再生回路７８で処理される再生用の信号の波形図。
【図１０】２．６ＧＢディスクの場合の各種信号の波形図。
【図１１】４．７ＧＢディスクの場合の各種信号の波形図。
【図１２】ヘッダ保護回路１００の構成を示すブロック図。
【図１３】ヘッダ保護回路１００の構成を示すブロック図。
【図１４】ヘッダ保護回路１００で処理される信号の波形図。
【図１５】ゾーン境界判定回路１０１の構成を示すブロック図。
【図１６】本発明に係る第1の実施形態に従ったゾーン境界の判定方法を示すタイミング図。
【図１７】本発明に係る第２の実施形態に従ったゾーン境界判定方法を示す概念図。
【図１８】本発明に係る第３の実施形態に従ったゾーン境界の判定方法を示すタイミング図。
【符号の説明】
【０１２３】
１００  光ディスク装置
７８、１００  ヘッダ検出信号生成部
１０１  ゾーン境界判定部
８８  トラッキング制御回路
ＨＤＲ０  ヘッダ領域
ＨＤＲ１  第１のヘッダ部
ＨＤＲ２  第２のヘッダ部
【図１】
2006209820.tif 000003
【図２】
2006209820.tif 000004
【図３】
2006209820.tif 000005
【図４】
2006209820.tif 000006
【図５】
2006209820.tif 000007
【図６】
2006209820.tif 000008
【図７】
2006209820.tif 000009
【図８】
2006209820.tif 000010
【図９】
2006209820.tif 000011
【図１０】
2006209820.tif 000012
【図１１】
2006209820.tif 000013
【図１２】
2006209820.tif 000014
【図１３】
2006209820.tif 000015
【図１４】
2006209820.tif 000016
【図１５】
2006209820.tif 000017
【図１６】
2006209820.tif 000018
【図１７】
2006209820.tif 000019
【図１８】
2006209820.tif 000020